(57)【要約】      （修正有）【課題】トイレ容器収容凹部小動物飼育用ケージを提供する。【解決手段】開口部１０と、この開口部１０の周囲の少なくとも一部に配置される立壁部１６，１７とを有する下部ケージ本体１と、下部ケージ本体１に上方から被せられる上部ケージ本体２と、立壁部１６，１７の内側に形成される内顎部（水平面１３、第１傾斜面１４）と、内顎部の上面に搭載される網状の床板３と、立壁部１６，１７の外側に形成される外縁部１８と、下部ケージ本体１から引き出し可能であり、開口部１０の下方に配置される不要物収容トレイ４と、を備え、上部ケージ本体２は、外縁部１８の上に載置されることを特徴とする。【選択図】図１
2020141563.tif 000002
【特許請求の範囲】
【請求項１】
開口部および、この開口部の周囲の少なくとも一部に配置される立壁部とを有する下部ケージ本体と、
前記下部ケージ本体に上方から被せられる上部ケージ本体と、
前記立壁部の内側に形成される内顎部と、
前記内顎部の上面に搭載される網状の床板と、
前記立壁部の外側に形成される外縁部と、
前記下部ケージ本体から引き出し可能であり、前記開口部の下方に配置される不要物収容トレイと、を備え、
前記上部ケージ本体は、前記外縁部の上に載置されることを特徴とする小動物用飼育ケージ。
【請求項２】
前記内顎部は、水平面と、この水平面よりも内側に下方に傾斜する傾斜面を有しており、前記床板は、前記水平面の上に載置されることを特徴とする請求項１に記載の小動物飼育用ケージ。
【請求項３】
平面視において、前記床板が配置される空間に隣接して、トイレ容器と、このトイレ容器の上に載置される網状のトイレ板が設けられ、前記トイレ板と前記床板の高さの差が３０ｍｍ以内になるように設定されていることを特徴とする請求項１に記載の小動物用飼育ケージ。
【請求項４】
前記上部ケージ本体は、観音開きの扉と、この扉をロックするロック機構とを備え、
前記ロック機構は、上下一対のつまみ部材と、このつまみ部材に一体結合されたロック棒とを有し、前記ロック棒の先端部が前記上部ケージ本体を構成する金属線に係止するように構成されていることを特徴とする請求項１〜３のいずれか１項に記載の小動物用飼育ケージ。
【発明の詳細な説明】
【技術分野】
【０００１】
本発明は、うさぎ等の小動物の飼育ケージに関するものである。
【背景技術】
【０００２】
かかる飼育ケージとして、下記特許文献１に開示される飼育ケースがある。この飼育ケースは、周壁を有する下部受け台と、この下部受け台の上に載置される小動物収容体と、下部受け台に引き出し可能に収納される不要物受けトレーとを有し周壁から内顎部が突設し、この内顎部の上に網状の床板が載置される。
【先行技術文献】
【特許文献】
【０００３】
【特許文献１】特許第３９１０６０２号
【発明の概要】
【発明が解決しようとする課題】
【０００４】
上記飼育ケースでは、周壁の内側に小動物収容体が載置されるため、小動物収容体に小動物の尿がかかりやすくなる。小動物収容体は、一般的には、金属ワイヤを交差させて、表面に塗装をした構造を有しており、尿成分により、塗装が剥がれやすくなるという問題がある。また、小動物でもうさぎの場合は、尿にＣａ（カルシウム）成分を多く含むため、金属ワイヤが交差する箇所に尿がかたまり掃除が難しくなるという問題もある。
【０００５】
本発明は上記実情に鑑みてなされたものであり、その課題は、トイレ容器収容凹部小動物飼育用ケージを提供することである。
【課題を解決するための手段】
【０００６】
上記課題を解決するため本発明に係る小動物飼育用ケージは、
開口部、および、この開口部の周囲の少なくとも一部に配置される立壁部とを有する下部ケージ本体と、
前記下部ケージ本体に上方から被せられる上部ケージ本体と、
前記立壁部の内側に形成される内顎部と、
前記内顎部の上面に搭載される網状の床板と、
前記立壁部の外側に形成される外縁部と、
前記下部ケージ本体から引き出し可能であり、前記開口部の下方に配置される不要物収容トレイと、を備え、
前記上部ケージ本体は、前記外縁部の上に載置されることを特徴とするものである。
【０００７】
かかる構成を有する小動物飼育用ケージの作用・効果を説明する。小動物飼育用ケージは、下部ケージ本体と上部ケージ本体を有しており、下部ケージ本体は立壁部と、立壁部の内側に形成される内顎部と、立壁部の外側に形成される外縁部を有する。上部ケージ本体は、立壁部の外側にある外縁部の上に載置されるので、小動物の尿が直接上部ケージ本体にかかることを抑制することができる。その結果、塗装の剥がれや掃除が難しいという問題を改善することができる。
【０００８】
本発明に係る前記内顎部は、水平面と、この水平面よりも内側に下方に傾斜する傾斜面を有しており、前記床板は、前記水平面の上に載置されることが好ましい。
【０００９】
かかる構成により、床板を安定して載置することができ、傾斜面を設けることで、不要物を不要物収容トレーに落としやすくなる。
【００１０】
本発明に係る平面視において、前記床板が配置される空間に隣接して、トイレ容器と、このトイレ容器の上に載置される網状のトイレ板が設けられ、前記トイレ板と前記床板の高さの差が３０ｍｍ以内になるように設定されていることが好ましい。
【００１１】
この構成によると、基本的な生活空間が形成される床板と、トイレ板の高さの差が小さいので、年老いた小動物であっても、トイレに移動しやすくなる。
【００１２】
本発明において、前記上部ケージ本体は、観音開きの扉と、この扉をロックするロック機構とを備え、前記ロック機構は、上下一対のつまみ部材と、このつまみ部材に一体結合されたロック棒とを有し、前記ロック棒の先端部が前記上部ケージ本体を構成する金属線に係止するように構成されていることが好ましい。
【００１３】
扉を観音開きで構成することで、扉を開いた状態でも大きく扉が突出することなく、大きな開口部を形成することができる。また、それぞれの扉にロック機構を設けており、ケージの内側から小動物が扉を押したとしても、扉の変形を抑制することができる。
【図面の簡単な説明】
【００１４】
【図１】本実施形態に係る小動物飼育用ケージの分解斜視図
【図２】本実施形態に係る小動物飼育用ケージの外観斜視図
【図３】本実施形態に係る小動物飼育用ケージの正面図
【図４】本実施形態に係る小動物飼育用ケージの底面図
【図５】本実施形態に係る小動物飼育用ケージの側面図
【図６Ａ】上部ケージ本体を取り外した状態の平面図
【図６Ｂ】床板とトイレ床を取り外した状態の平面図
【図７】図６ＡのＡ−Ａ断面図
【図８】図６ＡのＢ−Ｂ断面図
【図９】扉を開けた状態のケージの外観図を示す図
【図１０】扉のロック機構を説明する図
【発明を実施するための形態】
【００１５】
本発明に係る小動物飼育用ケージの好適な実施形態をまず説明する。図１は、本実施形態に係る小動物飼育用ケージの分解斜視図である。図２は、図１に示す小動物飼育用ケージの外観斜視図である。図３は、図２に示す小動物飼育用ケージの正面図である。図４は、図２に示す小動物飼育用ケージの底面図である。図５は、図２に示す小動物飼育用ケージの側面図である。
【００１６】
小動物飼育用ケージは、うさぎやハムスターなどの小動物を飼育するためのケージである。なお、飼育する小動物が上記に限定されるものではない。
【００１７】
図１に示すように、小動物飼育用ケージは、下部ケージ本体１と、この下部ケージ本体１の上から被せられる上部ケージ本体２を備えている。下部ケージ本体１は、開口部１０が形成されており、その上に床板３が載置される。開口部１０の形状は不等辺の５角形であるが、開口部１０の形状は特定の形状に限定されるものではなく、正方形、矩形やその他の多角形などでもよい。下部ケージ本体１は、樹脂により成型される。
【００１８】
床板３は、開口部１０に対応した形状を有し、網状の金属製で形成される。ただし、開口部１０よりも大きな面積を有する。床板３の上の空間は、小動物の生活空間になる。床板３は、網状に形成されるが網目の形状は正方形、長方形など適宜の形状にすることができ、特定の網目形状に限定されるものではない。網目の大きさは小動物が生活しやすいような大きさに設定される。
【００１９】
下部ケージ本体１の左右には、上部ケージ本体２をロックするためのロック機構１１が設けられている。ロック機構１１は、周知の機構を採用することができる。
【００２０】
上部ケージ本体２は、金属製のワイヤーを多数組み合わせて作製される。上部ケージ本体２も網目が形成されているが、網目の具体的な形状（矩形、正方形など）や大きさについては、特定のものに限定されるものではない。上部ケージ本体２には、観音開きの扉２０が設けられている。
【００２１】
下部ケージ本体１の下方には、引き出し自在の不要物収容トレー４が配置される。トレー４は、引き出し部４０と収容部４１が一体成型されている。収容部４１の形状は、開口部１０の形状に対応しており、平面視において、開口部１０よりも大きな面積を有している。収容部４１には、小動物の糞尿やエサの食べ残し等が収容される。
【００２２】
下部ケージ本体１には、トイレ容器５を取り外し自在に収容するためのトイレ容器収容凹部１２が設けられている。収容凹部１２の形状は平面視でほぼ三角形である。ただし、三角形に限定されるものではなく、他の形状を採用してもよい。トイレ容器５の上にはトイレ床６が着脱自在に載置される。トイレ床６は床板３と同様に金属製であり、多数の網目が形成される。網目の大きさや形状が特定のものに限定されない点は、床板３の場合と同じである。
【００２３】
トイレ床６の載置される高さは、床板３が載置される高さよりも少し低くなっている。これは、特に年老いた小動物が、床板３からトイレ床６に移動するときに、移動しやすいようにするためである。高さ設定に関しては、両者の高さが同じになるようにしてもよいし、トイレ床６の方を少し高くしてもよい。高さの差は、小動物の移動を考慮して３０ｍｍ以下とすることが好ましい。より好ましくは、１０ｍｍ以下にすることである。
【００２４】
図６Ａは、上部ケージ本体２を取り外した状態の平面図を示す。図６Ｂは、さらに床板３とトイレ床６を取り外した状態の平面図である。図７は、図６ＡのＡ−Ａ断面図である。図８は、図６ＡのＢ−Ｂ断面図である。
【００２５】
開口部１０の周囲（全周）には水平面１３と第１傾斜面１４が形成されている。水平面１３の上に床板３が載置される。第１傾斜面１４は、水平面１３の内側に形成されている。図８に示すように、第１傾斜面１４の内側には更に第２傾斜面１５が形成されている。第２傾斜面１５は、第１傾斜面１４よりも傾斜がきつくなっており、垂直に近くなっている。なお、第２傾斜面１５を垂直な壁面としてもよい。第１傾斜面１４と第２傾斜面１５は、本発明に係る傾斜面に相当する。傾斜面を設けることで、床板３を介して落下した不要物が傾斜面の上に落下した場合、その下にあるトレー４に滑り落ちやすくすることができる。
【００２６】
開口部１０およびトイレ容器５の周囲には立壁部１６が設けられている。立壁部１６は、小動物の糞尿が外へ飛び散ることを防止する。立壁部１６は、トイレ容器５が配置される箇所の全域、開口部１０の周囲の一部に配置されている。ロック機構１１が配置される箇所にも立壁部１６が設けられている。
【００２７】
ケージの前方側には高さの高い立壁部１６は、設けられていないが、高さの低い立壁部１７が適宜の箇所に分散して設けられている。トイレ容器５の立壁５０も立壁部１６のある位置については、高さが高くなっている。図８に示すように、トイレ容器５の立壁５０の方が立壁部１６よりも少し高さが高くなっている。なお、両者の高さは同じにしてもよい。立壁部１６，１７の具体的な高さや形成箇所については、適宜変更が可能である。全周に立壁部を設けてもよい。
【００２８】
また、水平面１３と第１傾斜面１４と第２傾斜面１５は、立壁部１６，１７の内側に形成される内顎部に相当する。内顎部の構成は、本実施形態に限定されるものではなく、種々の変形例が考えられる。例えば、第２傾斜面１５はなくてもよい。あるいは、さらに別の面を形成してもよい。傾斜面は直線的ではなく、曲面であってもよい。
【００２９】
立壁部１６，１７の外側には外縁部１８が形成されている（図８等参照）。外縁部１８は、水平面であり、その上に上部ケージ本体２が載置される。すなわち、上部ケージ本体２は、立壁部１６，１７の外側に載置される。上部ケージ本体２は、立壁部１６，１７の外側にある外縁部１８の上に載置されるので、小動物の尿が直接上部ケージ本体２にかかることを抑制することができる。
【００３０】
図４、図８に示すように、下部ケージ本体１の底面には底板７が取り付けられる。この底板７の上に不要物収容トレー４が載置される。底板７の上を滑るようにトレー４が出し入れされる。図８に示すように下方に向かう仕切り壁１９が一体形成されている。外縁部１８の高さよりも、内顎部の水平面１３の方が低くなっており、従って、床板３の高さも外縁部１８よりも低くなっている。外縁部１８と水平面１３の境界から仕切り壁１９が下方に延びている。
【００３１】
図８に示すように、第２傾斜面１５の下端１５ａの方が、トレー４の上端４ａよりも高くなっており、これにより、スムーズにトレー４を出し入れすることができる。また、トレー４の内壁４ｂは、第２傾斜面１５よりも外側に位置している。従って、床板３から落下する不要物を確実にトレー４内に収容することができる。トレー４の内壁４ａの位置は、床板３の端部の位置とほぼ同じである。トレー４の左右方向の移動は、仕切り壁１９により規制される。
【００３２】
図９は、扉２０を開けた状態のケージの外観図を示す。扉２０は観音開きであり、扉全体の開口面積を大きくとることができる。小動物の出入りも容易になる。
【００３３】
図１０は、扉２０のロック機構２１を説明する図である。左右一対のロック機構２１があり、どちらも基本構造は同じである。左右一対のロック機構２１は、隣接して配置されている。ロック機構２１は、上下に一対のつまみ部材２２とこれと一体結合された上下に一対のロック棒２３を有する。ロック棒２３の先端部２３ａは、上部ケージ本体２の金属線２ａに係止しており、この状態では扉２０は前方に開かない（ロックされている。）。ロック棒２３は、例えば、金属線により形成され、その太さ（径の大きさ）は適宜設定することができる。また、金属線２ａについても、同様にその太さは適宜設定でき、ロック棒２３と同じ太さにしてもよく、同じ素材を用いてもよい。
【００３４】
上下のつまみ部材２２を互いに近づく方向に移動させると、ロック棒２３の先端部２３ａの係止がはずれて、扉２０を開くことができる。上下のつまみ部材２２は、不図示のバネにより互いに遠ざかる方向に付勢されているので、このバネの付勢力に抗してつまみ部材２２を移動させることで、ロックを解除することができる。
【００３５】
＜別実施形態＞
本実施形態では扉を観音開きにしているが、これに限定されるものではなく、片側ヒンジで開閉する扉を採用してもよい。本発明において、トイレ容器５を設ける空間をなくしてもよい。
【符号の説明】
【００３６】
１        下部ケージ本体１
１０      開口部
１１      ロック機構
１２      トイレ容器収容凹部
１３      水平面
１４      第１傾斜面
１５      第２傾斜面
１６      立壁部
１７      立壁部
１８      外縁部
１９      仕切り壁
２        上部ケージ本体２
２ａ      金属線
２０      扉
２１      ロック機構
２２      つまみ部材
２３      ロック棒
２３ａ    先端部
３        床板
４        不要物収容トレー
５        トイレ容器
６        トイレ床
【図１】
2020141563.tif 000003
【図２】
2020141563.tif 000004
【図３】
2020141563.tif 000005
【図４】
2020141563.tif 000006
【図５】
2020141563.tif 000007
【図６Ａ】
2020141563.tif 000008
【図６Ｂ】
2020141563.tif 000009
【図７】
2020141563.tif 000010
【図８】
2020141563.tif 000011
【図９】
2020141563.tif 000012
【図１０】
2020141563.tif 000013